(57)【要約】【課題】ゲーム中に駒が所定のマス目から隣接するマス目内にはみ出すのを防止し得るオセロゲーム（登録商標）セットを提供する。【解決手段】縦横に整列して区画された縦列及び横列それぞれ各８目の駒載置用のマス目１０を有するゲーム盤１と、一方及び他方の面２０ａ及び２０ｂを白と黒で色分けされ、円盤状に形成された少なくとも前記マス目の数と同様の駒２と、駒が載置される所定のマス目の区画線１１から隣接するマス目内にはみ出すのを防止する駒はみ出し防止手段３とを備える。前記防止手段は、各マス目の区画線上に沿って形成した突条３０で構成する。【選択図】図１
0003162490.tif 000002
【実用新案登録請求の範囲】
【請求項１】
縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、各マス目の前記区画線に沿って形成した突条で構成されている
ことを特徴とするオセロゲーム（登録商標）セット。
【請求項２】
縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、前記各マス目の駒載置面上に、各マス目の中心点を支点として描かれる少なくとも前記駒の直径より大径の直径をもつ円線上に略等間隔で形成した少なくとも三個の凸部で構成されている
ことを特徴とするオセロゲーム（登録商標）セット。
【請求項３】
縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、前記各マス目内の駒載置面上に、前記駒の直径と略対応する大きさ、かつ、所望の深さに形成した駒嵌合載置用の円形凹部で構成されている
ことを特徴とするオセロゲーム（登録商標）セット。
【請求項４】
縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、前記各マス目内の駒載置面近くにおける略中心部に位置させて設けた磁石と、前記各駒内の略中心部に位置させて設けた鉄その他の強磁性体で所望の大きさ、かつ、所望の形状に形成した磁石吸着性部材とで構成されている
ことを特徴とするオセロゲーム（登録商標）セット。
【請求項５】
縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、前記各マス目内の駒載置面近くにおける略中心部に位置させて設けた鉄その他の強磁性体で所望の大きさ、かつ、所望の形状に形成した磁石吸着性部材と、前記各駒内の略中心部に位置させて設けた磁石とで構成されている
ことを特徴とするオセロゲーム（登録商標）セット。
【考案の詳細な説明】
【技術分野】
【０００１】
本考案は、オセロゲーム（登録商標）セットに関する。
【背景技術】
【０００２】
オセロ（登録商標）は、二人で行なうゲームであって、表裏を白と黒で色分けした円盤状の駒（石とも称される）を交互にゲーム盤上に置き、自分の駒で挟んだ相手の駒を裏返して、自分の色の駒にすることで、駒の多さを争うゲームである。
【０００３】
従来のオセロゲーム（登録商標）は、一般に、図８に示すように、縦横に整列して区画線５０で区画された縦列及び横列それぞれ各８目（合計６４目）の駒載置用のマス目５１（升目）を有するゲーム盤５と、一方の面６０ａと他方の面６０ｂを白と黒とで色分けされ、円盤状に形成された所要数（少なくともマス目５１と同数）の駒とで構成されている。前記区画線５０は盤５に施された線で構成されている。
【０００４】
オセロゲーム（登録商標）は、上述したように、駒６を交互に盤５上に置き、自分の駒で挟んだ相手の駒を裏返して自分の色の駒にすることを繰返して駒の色の数により勝敗を争うゲームであるため、駒を裏返して盤上に置く操作を頻繁に行なわれる。上記裏返した駒は元のマス目５１内に置くものである。
【０００５】
しかし、図８に示す従来のセットのマス目５１の区画線５０は、盤５に印刷その他の手段で施した線で形成されている。そのため、駒５を裏返して所定のマス目５１に載置する際等に、図８（ｅ）に仮想線６Ａで示すように、所定のマス目５１の区画線５０から線越えして隣接するマス目内にはみ出して載置することがしばしば生じる。
また、駒を所定のマス目内に置く際、或いは駒の裏返し操作をする際に、不用意に別の駒に手が触れて盤上をスライドさせ所定のマス目から隣接するマス目内にはみ出すことも生じる。
【０００６】
上記のように、駒６が所定のマス目５１から隣接するマス目内へはみ出した状態で盤上に置かれると、見た目において好ましくなく、時には駒を置いたマス目の位置に間違いが生じるおそれもある。
【０００７】
従来の他のオセロゲーム（登録商標）セットとして、図８に示す円盤状の駒に加え、一方の面と他方の面を白と黒に色分けされ、四角形状に形成した駒を追加して構成したものが提案されている（特許文献１参照）。この特許文献１に記載のゲームセットは、４人でゲームするように構成したものである。
【０００８】
しかし、上記文献１に記載のオセロゲーム（登録商標）セットも、ゲーム盤のマス目の区画線は図８に示すゲーム盤と同様に、印刷等で施した線で形成されているため、図８に示すゲーム盤と同様の問題を有している。
【先行技術文献】
【特許文献】
【０００９】
【特許文献１】実開平６−５０６８５号公報
【考案の概要】
【考案が解決しようとする課題】
【００１０】
本考案は上記したような実情に鑑みてなされたもので、上述した問題点を解消し、ゲーム中に駒が所定のマス目から区画線を越えて隣接するマス目内にはみ出すのを防止し得るオセロゲーム（登録商標）セットを提供することを目的とするものである。
【課題を解決するための手段】
【００１１】
上記目的を達成するため、本考案のうち１つの考案（第１の考案）は、縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、各マス目の前記区画線に沿って形成した突条で構成されていることを特徴とする。
【００１２】
第１の考案のように構成すると、各マス目の区画線は突条で構成されているので、駒を裏返す際に隣接するマス目内にはみ出すのを防止して、所定のマス目内に整然と置かれる。また、不用意に駒に手が触れて駒が盤上をスライドしても各マス目は突条で囲まれているので、区画線を越えて隣接するマス目内にはみ出すのを防止する。
【００１３】
本考案のうち、他の１つの考案は、縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、前記各マス目の駒載置面上に、各マス目の中心点を支点として描かれる少なくとも前記駒の直径より大径の直径をもつ円線上に略等間隔で形成した少なくとも三個の凸部で構成されていることを特徴とする。
【００１４】
第２の考案のように構成すると、駒は各マス目の凸部に周縁を係合して盤上に載置されるので、駒を裏返す際、或いは不用意に別の駒に手が触れても駒が所定のマス目からはみ出すのを防止して、所定のマス目内に整然と置くことができる。
【００１５】
本考案のさらに他の１つの考案（第３の考案）は、縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、前記各マス目内の駒載置面上に、前記駒の直径と略対応する大きさ、かつ、所望の深さに形成した駒嵌合載置用の円形凹部で構成されていることを特徴とする。
【００１６】
第３の考案のように構成すると、駒は各マス目の円形凹部に係合して盤上に載置されるので、上記と同様に、駒が所定のマス目からはみ出すのを防止して、所定のマス目内に整然と置くことができる。
【００１７】
本考案のさらに他の１つの考案（第４の考案）は、縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、前記各マス目内の駒載置面近くにおける略中心部に位置させて設けた磁石と、前記各駒内の略中心部に位置させて設けた鉄その他の強磁性体で所望の大きさ、かつ、所望の形状に形成した磁石吸着性部材とで構成されていることを特徴とする。なお、本考案において「磁石吸着性部材」とは、磁石が吸着する強磁性を持つ物質よりなる部材を意味する用語として使用されている。
【００１８】
第４の考案のように構成すると、磁石の吸着作用により、駒は各マス目内の略中央部に吸着して載置される。したがって、駒を裏返す際、或いは不用意に別の駒に手が触れても駒が所定のマス目から隣接するマス目内にはみ出すのを防止できる。
【００１９】
本考案のさらに他の１つの考案（第５の考案）は、縦横に整列して区画された少なくとも縦列及び横列それぞれ各８目の駒載置用のマス目を有するゲーム盤と、
一方及び他方の面を白と黒その他の異なる二色で色分けされ、円盤状に形成された少なくとも前記マス目の数と同数の駒と、
前記駒が載置される所定のマス目の区画線から線越えして隣接するマス目内にはみ出すのを防止する駒はみ出し防止手段とを備え、
前記駒はみ出し防止手段は、前記各マス目内の駒載置面近くにおける略中心部に位置させて設けた鉄その他の強磁性体で所望の大きさ、かつ、所望の形状に形成した磁石吸着性部材と、前記各駒内の略中心部に位置させて設けた磁石とで構成されていることを特徴とする。
【００２０】
第５の考案のように構成すると、第４の考案と同様に磁石の吸着作用により駒がマス目から隣接するマス目内へはみ出すのを防止できる。
【考案の効果】
【００２１】
本考案によれば、次のような作用効果を奏する。
（１）駒を裏返して所定の元のマス目内に置く際に隣接するマス目内にはみ出すのを防止して、所定のマス目内に整然と置かれる。
（２）駒を所望のマス目内に置く際、或いは駒の裏返し操作を行なう際に、不用意に別の駒に手が触れても駒が所定のマス目の区画線を越えて隣接するマス目内にはみ出すのを防止することができる。
【図面の簡単な説明】
【００２２】
【図１】本考案の一実施形態のオセロゲーム（登録商標）セットの構成を概略的に示す図であって、同図（ａ）はゲーム盤の平面図、同図（ｂ）は駒の一方の面から見た平面図、同図（ｃ）は同じく他方の面から見た平面図、同図（ｄ）は同じく側面図、同図（ｅ）はゲーム盤の一部を拡大し、その構成を概略的に示す平面図、同図（ｆ）は同図（ａ）のＡ−Ａ線で切断し、その一部を拡大して構成を概略的に示す断面図、同図（ｇ）は区画線の部分を拡大し、その構成を概略的に示す縦断面図である。
【図２】図１に示すゲーム盤の一部を拡大し、その構成を概略的に示す斜視図である。
【図３】本考案の他の実施形態のオセロゲーム（登録商標）セットの構成を概略的に示す図であって、同図（ａ）はゲーム盤の平面図、同図（ｂ）は前記ゲーム盤の一部を拡大し、その構成を概略的に示す平面図、同図（ｃ）は前記ゲーム盤の１つのマス目の部分を拡大し、その構成を概略的に示す説明図、同図（ｄ）は同図（ａ）のＢ−Ｂ線で切断し、その一部の構成を概略的に示す説明断面図である。
【図４】本考案のさらに他の実施形態のオセロゲーム（登録商標）セットの構成を概略的に示す図であって、同図（ａ）はゲーム盤の平面図、同図（ｂ）は前記ゲーム盤の一部を拡大し、その構成を概略的に示す平面図、同図（ｃ）は前記ゲーム盤の１つのマス目の部分を拡大し、その構成を概略的に示す説明図、同図（ｄ）は同図（ａ）のＣ−Ｃ線で切断し、その一部の構成を概略的に示す説明断面図である。
【図５】図４に示すゲーム盤の一部を拡大し、その構成を概略的に示す斜視図である。
【図６】本考案のさらに他の実施形態のオセロゲーム（登録商標）セットの構成を概略的に示す図であって、同図（ａ）はゲーム盤の平面図、同図（ｂ）は駒の一方の面から見た平面図、同図（ｃ）は同じく他方の面から見た平面図、同図（ｄ）は前記駒の拡大縦断面図、同図（ｅ）は前記ゲーム盤の一部を拡大し、その構成を概略的に示す平面図、同図（ｆ）は同図（ｅ）のＤ−Ｄ線切断図、同図（ｇ）は作用説明図である。
【図７】本考案のさらに他の実施形態のオセロゲーム（登録商標）セットの構成を概略的に示す図であって、同図（ａ）はゲーム盤の平面図、同図（ｂ）は駒の一方の面から見た平面図、同図（ｃ）は同じく他方の面から見た平面図、同図（ｄ）は駒の拡大縦断面図、同図（ｅ）は前記ゲーム盤の一部を拡大し、その構成を概略的に示す平面図、同図（ｆ）は同図（ｅ）のＥ−Ｅ線切断図、同図（ｇ）は作用説明図である。
【図８】従来のオセロゲーム（登録商標）セットの一例を示す図であって、同図（ａ）はゲーム盤の平面図、同図（ｂ）は駒の一方の面から見た平面図、同図（ｃ）は同じく他方の面から見た平面図、同図（ｄ）は同じく側面図、同図（ｅ）は前記ゲーム盤の一部を拡大し、問題点を説明するために示す説明図である。
【考案を実施するための形態】
【００２３】
以下、図面を参照して本考案のオセロゲーム（登録商標）セットの実施形態の一例について説明する。
【００２４】
図１及び図２は、本考案の一実施形態（実施の形態１）のオセロゲーム（登録商標）セットを示す。これら図１及び図２に示すように、実施形態１は、ゲーム盤１と、駒２（石とも称される）と、駒はみ出し防止手段３とを備える。
【００２５】
ゲーム盤１の素材は特に限定されないが、従来のゲーム盤と同様に、例えば木材や硬質プラスチック等を採用できる。前記盤１の大きさも特に限定されない。例えば、従来と同様に、縦幅約２５ｃｍ〜約３５ｃｍ、横幅約２５ｃｍ〜約３５ｃｍ、肉厚（又は高さ）約２．５ｃｍ〜約５．０ｃｍ程度の範囲に形成できる。但し、上記範囲内に限定するものではない。
【００２６】
前記盤１は、上面に縦横に整列して区画線１１で区画された少なくとも縦列及び横列それぞれ各８目の駒載置用のマス目１０…１０を有している。本実施形態１の盤１には縦列及び横列それぞれ各８目（合計６４目）のマス目１０が形成されている。
【００２７】
前記駒２の素材は特に限定されないが、従来と同様に、例えば硬質プラスチックや木材等を採用できる。前記駒２は少なくとも前記マス目の数と同数個備えている。実施の形態１では、マス目の数は６４であるため、駒２は少なくとも６４個備える。この場合、予備の駒２として、適当数（例えば４〜６個程度）の駒２を追加して備える構成を採用してもよい。
【００２８】
前記各駒２は、一方の面２０ａ及び他方の面２０ｂを白と黒その他の異なる二色で色分けされ、適当な大きさの円盤状に形成されている。実施の形態１では、一方の面２０ａを白色、他方の面２０ｂを黒色で採色して色分けした構成を採用している。駒２の大きさはマス目１０の大きさに対応して適当に決定する。例えば、直径約２０ｍｍ〜約２８ｍｍ程度に形成できる。但し、上記範囲内に限定するものではない。駒２の肉厚も特に限定するものではないが、約３ｍｍ〜約６ｍｍ程度に形成できる。但し、上記範囲内に限定するものではない。
【００２９】
前記駒はみ出し防止手段３は、駒２が載置される所定のマス目１０の区画線１１から線越えして隣接するマス目１０内にはみ出すのを防止する手段である。
実施の形態１の前記防止手段３は、各マス目１０の区画線１１に沿って形成した突条３０で構成されている。突条３０の幅及び高さは特に限定するものではなく、適当に決定するものであるが、例えば、幅約０．５ｍｍ〜約１．０ｍｍ、高さ約０．６ｍｍ〜約１．５ｍｍ程度に形成できる。なお、上記範囲に限定するものではないが、突条３０の高さを０．６ｍｍ以下に形成すると、期待する効果を充分発揮しないおそれがある。また、突条３０の高さを１．５ｍｍ以上にすると、ゲームを行なう際に突条３０が邪魔になる場合が生じるおそれがある。上記構成により、各マス目１０は突条３０で囲まれる。
【００３０】
本実施形態１は上記のように構成され、従来のオセロゲーム（登録商標）と同様に使用される。実施の形態１のように構成すると、各マス目１０の区画線１１は突条３０で構成され、この突条３０で囲まれているので、駒２を裏返す際に隣接するマス目内にはみ出すのを防止して、所定のマス目内に整然と置かれる。また、不用意に別の駒２に手が触れて駒が盤１上をスライドしても、各マス目１０は突条３０で囲まれているので、区画線１１を越えて隣接するマス目内にはみ出すのを防止する。
【００３１】
図３は本考案の他の実施形態（実施形態２）を示す。実施形態２のオセロゲーム（登録商標）セットにおいて、実施の形態１で既に説明した構成と共通する構成部等には同一符号を付して説明を省略する。この点については後述する各実施形態においても同様である。実施形態２は、駒はみ出し防止手段３の構成に特徴がある。
【００３２】
実施形態２の駒はみ出し防止手段３は、前記盤１の前記各マス目１０内の駒載置面上（前記盤１上）に、各マス目１０の中心点を支点として描かれる少なくとも駒２の直径より大径の直径をもつ円線３１上に略等間隔で形成した少なくとも三個の凸部３２…３２で構成されている。実施形態３の前記防止手段３は、三個の凸部３２で構成されている。また、前記円線３１は駒２の直径より幾分大径に形成されている。なお、凸部３２の数は適当に増量してもよいものである。
【００３３】
前記各凸部３２の径及び高さは特に限定するものではなく、適当に決定するものであるが、例えば直径約０．５ｍｍ〜約２．０ｍｍ、高さ約０．６ｍｍ〜約１．５ｍｍ程度に形成できる。実施形態２の各凸部３２は、直径約１．５ｍｍ〜約２．０ｍｍ、高さ約１．０ｍｍ〜約１．５ｍｍの円柱状に形成されている。なお、上記範囲内に限定するものではないが、凸部３２の高さを０．６ｍｍ以下に形成すと、期待する効果を充分発揮しないおそれがある。逆に、凸部３２の高さを１．５ｍｍ以上に形成すると、ゲームを行なう際に凸部３２が邪魔になる場合が生じるおそれがある。他の構成は実施の形態１と同様である。
【００３４】
実施形態２は上記のように構成され、実施の形態１と同様に使用される。実施形態２のように構成すると、駒２は各マス目１０の各凸部３２に周縁部を係合して盤１上に載置されるので、駒２を裏返す際、或いは不用意に別の駒に手が触れても、駒２が所定のマス目１０からはみ出すのを防止して、所定のマス目１０内に整然と置くことができる。
【００３５】
図４及び図５は本考案のさらに他の実施形態（実施形態３）を示す。実施形態３も駒はみ出し防止手段３の構成に特徴がある。
【００３６】
実施形態３の駒はみ出し防止手段３は、前記盤１の各マス目１０内の駒載置面上（前記盤１上）に、駒２の直径と略対応する大きさ、かつ、所望の深さに形成した駒嵌合載置用の円形凹部３３で構成されている。実施形態３の円形凹部３３は、図４（ｃ）等に示すように、駒３の直径より幾分大径に形成されている。前記凹部３３の深さは適当に決定するものであるが、例えば約０．６ｍｍ〜約１．５ｍｍ程度に形成できる。実施形態３では約０．８ｍｍ〜約１．２ｍｍに形成されている。なお、凹部３３の深さは上記範囲内に限定するものではないが、０．６ｍｍ以下に形成すると期待する効果を充分発揮しないおそれがある。また、逆に１．５ｍｍ以上に形成すると、凹部３３内に載置した駒２を取り出す操作が円滑にできなくなるおそれが生じる場合がある。他の構成は実施形態１と同様である。
【００３７】
実施形態３は上記のように構成したもので、実施の形態１と同様に使用される。実施形態３のように構成すると、駒２は各マス目１０の円形凹部３３内に嵌合（係合）して盤１上に載置されるので、実施形態２と同様に駒２が所定のマス目からはみ出すのを防止して、所定のマス目内に整然と置くことができる。
【００３８】
図６は本考案のさらに他の実施形態（実施形態４）を示す。実施形態４も駒はみ出し防止手段３の構成に特徴がある。
【００３９】
実施形態４の駒はみ出し防止手段３は、前記盤１の各マス目１０内に設けた磁石３４と、各駒２内に設けた磁石吸着性部材３５とで構成されている。
【００４０】
前記磁石３４（永久磁石）は、各マス目１０内の駒載置面近く（前記盤１の上面近く）における略中心部に位置させて設けてある。実施形態４では、図６（ｆ）及び（ｇ）に示すように、盤１の上面側の所定部（マス目内の中心部）に磁石３４を適合して嵌合する嵌合凹部３６を形成してある。そして、前記凹部３６内に磁石３４を嵌合し、所望に応じて接着剤等で接着して設けてある。また、実施形態４では、上記のように盤１に磁石３４を設けた後、その上から盤１上に所望の材料よりなる上面板や化粧版３７を接着等で固着して設けてある。なお、磁石３４の大きさや形状は適当に決定する。実施形態４では円柱状に形成したものが開示されている。
【００４１】
一方、前記磁石吸着性部材３５は、鉄その他の強磁性体で所望の大きさ、かつ、所望の形状に形成され、各駒２内の略中心部に位置させて設けてある。強磁性体としては、前記鉄やニッケル、コバルト、或いは、これらを含む合金等、磁石が吸着する強磁性を持つ物質を採用できる。実施形態４では、適当な大きさの鉄製の円形板を採用している。また、実施形態４では、図６（ｄ）に示すように、駒２を二枚の円形状の板材２１ａ，２１ｂで形成し、両板材２１ａ，２１ｂの中心部に前記鉄製の円形板を嵌合する嵌合部を形成してある。そして、嵌合部に円形板を嵌合し、両板材２１ａ，２１ｂを重合して接着剤等で接着して鉄板入りの駒を形成してある。他の構成は実施形態１と同様である。
【００４２】
実施形態４は上記のように構成され、実施の形態１と同様に使用される。実施形態４のように構成すると、駒２は磁石３４の吸着作用により、各マス目１０内のほぼ中央部に吸着して載置される。したがって、駒２を裏返す際、或いは不用意に別の駒に手が触れても駒が所定のマス目から隣接するマス目内にはみ出すのを防止できる。
【００４３】
図７は本考案のさらに他の実施形態（実施形態５）を示す。この実施形態５も駒はみ出し防止手段３の構成に特徴がある。
【００４４】
実施形態５は、実施形態４のオセロゲーム（登録商標）セットにおいて、前記磁石３４と磁石吸着性部材３５の設ける位置を逆にしたものである。即ち、実施形態５は、前記盤１側の所定部に磁石吸着性部材３５を設けると共に、駒２に磁石３４を設けて構成したものである。他の構成は実施形態４と同様である。
【００４５】
実施形態５は上記のように構成され、実施の形態１と同様に使用される。これにより、実施形態４と同様の作用効果を発揮する。
【００４６】
なお、上記した実施形態の断熱容器は一例として開示したもので、本考案は上記実施形態に限定されるものではなく、実用新案登録請求の範囲に記載の技術思想を越脱しない範囲において任意に変更可能なものである。
【符号の説明】
【００４７】
１        ゲーム盤
２        駒
３        駒はみ出し防止手段
１０      マス目
１１      区画線
２０ａ    一方の面
２０ｂ    他方の面
３０      突条
【図１】
0003162490.tif 000003
【図２】
0003162490.tif 000004
【図３】
0003162490.tif 000005
【図４】
0003162490.tif 000006
【図５】
0003162490.tif 000007
【図６】
0003162490.tif 000008
【図７】
0003162490.tif 000009
【図８】
0003162490.tif 000010